(57)【要約】【課題】画面を有効に利用して、複数の機能に対応する各アイコンもしくは各指標を紹介したり、設定済みの機能を容易に認知することが可能な印刷制御装置を提供する。【解決手段】、一覧表示領域Ａに複数のアイコンが一覧表示され、スクロール操作により各アイコンの全てが順次表示される。このため、ユーザは、多くのアイコンもしくは指標を直ぐに見ることができて、それらの機能を知ることができ、利用したことがあってもなくても、それらの存在を知ることができる。また、一覧表示領域Ａのアイコンが指示されると、この指示されたアイコンを設定済み表示領域Ｂに表示しているので、設定済みのアイコンの機能を容易に認識することができる。【選択図】図８
2006323504.tif 000002
【特許請求の範囲】
【請求項１】
複数の機能に対応する各アイコンもしくは各指標を画面に表示し、各アイコンもしくは各指標を画面上で選択的に指示するインターフェースにおいて、
各アイコンもしくは各指標を画面に一覧表示する一覧表示手段と、
一覧表示手段により画面に一覧表示された各アイコンもしくは各指標が選択的に指示されると、前記一覧表示手段による表示とは別に、該指示されたアイコンもしくは指標に応じて設定済みとなったアイコンもしくは指標を画面に表示する設定済み表示手段と
を備えることを特徴とするインターフェース。
【請求項２】
一覧表示手段は、画面上に各アイコンもしくは各指標を順次繰り返して表示することを特徴とする請求項１に記載のインターフェース。
【請求項３】
一覧表示手段は、画面上に表示された各アイコンもしくは各指標をスクロール表示することを特徴とする請求項１に記載のインターフェース。
【請求項４】
各アイコンもしくは各指標の機能の内容を示すそれぞれの値を管理しており、設定済み表示手段によりアイコンもしくは指標が画面に表示されると、この表示されたアイコンもしくは指標の機能の内容を示す値を入力値として設定することを特徴とする請求項１に記載のインターフェース。
【請求項５】
設定済み表示手段により画面に表示されたアイコンもしくは指標の削除が指示されると、この指示されたアイコンもしくは指標の機能の内容を示す入力値を無効にすることを特徴とする請求項４に記載のインターフェース。
【請求項６】
設定済み表示手段により画面に表示されたアイコンもしくは指標の機能の内容を示す値の変更が指示されると、この指示された機能の内容を示す入力値を変更することを特徴とする請求項４に記載のインターフェース。
【請求項７】
各アイコンもしくは各指標の機能の内容を示すそれぞれの値として、設定済み表示手段により表示される前の非選択時の値と設定済み表示手段により表示された後の選択時のデフォルト値とを管理することを特徴とする請求項４に記載のインターフェース。
【請求項８】
アイコンもしくは指標の機能の内容を示すデフォルト値を管理しており、アイコンもしくは指標の機能の内容を示すデフォルト値の変更が指示されると、このデフォルト値を変更することを特徴とする請求項４に記載のインターフェース。
【請求項９】
規定の入力操作に応答して、設定済み表示手段によりアイコンもしくは指標が画面に表示されると、この表示されたアイコンもしくは指標の機能の内容を示すデフォルト値を入力値として設定することを特徴とする請求項４に記載のインターフェース。
【請求項１０】
設定済み表示手段によりアイコンもしくは指標が画面に表示されたか否かにかかわらず、規定のアイコンもしくは指標の機能の内容を示すデフォルト値を入力値として常に設定することを特徴とする請求項４に記載のインターフェース。
【請求項１１】
設定済み表示手段は、画面に表示されたアイコンもしくは指標について、表示形態を切替えることを特徴とする請求項１に記載のインターフェース。
【請求項１２】
一覧表示手段により画面に表示されるアイコンもしくは指標が動画像であって、
設定済み表示手段により画面に表示されるアイコンもしくは指標が前記動画像の１コマからなる静止画像であることを特徴とする請求項１に記載のインターフェース。
【請求項１３】
一覧表示手段により画面に表示されるアイコンもしくは指標が動画像であって、
設定済み表示手段により画面に表示されるアイコンもしくは指標が前記動画像の複数コマを組み合わせてなる静止画像であることを特徴とする請求項１に記載のインターフェース。
【請求項１４】
複数の印刷機能に対応する各アイコンもしくは各指標を画面に表示し、各アイコンもしくは各指標を画面上で選択的に指示する印刷制御装置において、
各アイコンもしくは各指標を画面に一覧表示する一覧表示手段と、
一覧表示手段により画面に一覧表示された各アイコンもしくは各指標が選択的に指示されると、前記一覧表示手段による表示とは別に、該指示されたアイコンもしくは指標に応じて設定済みとなったアイコンもしくは指標を画面に表示する設定済み表示手段と
を備えることを特徴とする印刷制御装置。
【請求項１５】
設定済み表示手段により画面に表示されたアイコンもしくは指標に対応する印刷機能を用いて、印刷を指示することを特徴とする請求項１４に記載の印刷制御装置。
【発明の詳細な説明】
【技術分野】
【０００１】
本発明は、複数のアイコン等を画面上で選択的に指示するインターフェース及び印刷制御装置に関する。
【背景技術】
【０００２】
この種のインターフェースは、表示デバイスの画面に複数のアイコンを配列表示し、ポインティングデバイス等の操作により所望のアイコンを選択指示して、このアイコンに対応するアプリケーション等の機能を起動させるというものである。
【０００３】
しかしながら、小さな画面の場合は、複数のアイコンを隙間なく配列せねばならず、アイコンの視認性が悪くなり、またアイコンの選択操作も難しくなる。
【０００４】
このため、通常はアイコン等を表示せず、ボタンが押下されたときにだけ、各種機能を設定するための画面を表示したり、画面に複数のタブを表示して、それぞれのタブにグループ化された機能群を割り当てておき、タブが選択されると、このタブの機能群を表示するという方法を採用することが多い。
【０００５】
また、特許文献１では、各アイコン別に、アイコンの使用頻度を計数して記憶しておき、使用頻度が高い順に、各アイコンを整列させて表示している。この場合は、小さな画面であっても、使用頻度の高いアイコンを優先的に表示することができる。
【特許文献１】特開２００３−２７１２８６号公報
【発明の開示】
【発明が解決しようとする課題】
【０００６】
しかしながら、上記従来の様にボタンが押下されたときにだけ、各種機能を設定するための画面を表示したり、それぞれのタブにグループ化された機能群を割り当てて、選択されたタブの機能群を表示するという方法では、所望の機能を用いるときに、まず、この機能を表示する画面を見つけ出さねばならないので、手間と時間がかかった。また、この機能を表示する画面そのものが不明であったり、この画面を表示するまでの手順が分からなければ、より時間がかかることになった。あるいは、画面が表示されない限り、機能が表示されないので、機能の存在が知られないこともあった。
【０００７】
また、特許文献１の様に使用頻度の高いアイコンを優先的に表示する場合は、使用頻度の低いアイコンが表示されないため、このアイコンの使用頻度が益々低くなって、全てのアイコンを有効に利用することができなくなった。
【０００８】
更に、従来は、機能を選択して設定するに際し、選択済みの機能と未選択の機能を識別することができず、設定済みの機能を容易に認識することができなかった。特に、多くの機能を設定する必要がある場合は、必要な機能の一部が設定されていなくても、これが認識されないことが多かった。
【０００９】
そこで、本発明は、上記従来の問題点に鑑みてなされたものであり、画面を有効に利用して、複数の機能に対応する各アイコンもしくは各指標を紹介したり、設定済みの機能を容易に認知することが可能なインターフェース及び印刷制御装置を提供することを目的とする。
【課題を解決するための手段】
【００１０】
上記課題を解決するために、本発明のインターフェースは、複数の機能に対応する各アイコンもしくは各指標を画面に表示し、各アイコンもしくは各指標を画面上で選択的に指示するインターフェースにおいて、各アイコンもしくは各指標を画面に一覧表示する一覧表示手段と、一覧表示手段により画面に一覧表示された各アイコンもしくは各指標が選択的に指示されると、前記一覧表示手段による表示とは別に、該指示されたアイコンもしくは指標に応じて設定済みとなったアイコンもしくは指標を画面に表示する設定済み表示手段とを備えている。
【００１１】
また、本発明においては、一覧表示手段は、画面上に各アイコンもしくは各指標を順次繰り返して表示している。
【００１２】
更に、本発明においては、一覧表示手段は、画面上に表示された各アイコンもしくは各指標をスクロール表示している。
【００１３】
また、本発明においては、各アイコンもしくは各指標の機能の内容を示すそれぞれの値を管理しており、設定済み表示手段によりアイコンもしくは指標が画面に表示されると、この表示されたアイコンもしくは指標の機能の内容を示す値を入力値として設定している。
【００１４】
更に、本発明においては、設定済み表示手段により画面に表示されたアイコンもしくは指標の削除が指示されると、この指示されたアイコンもしくは指標の機能の内容を示す入力値を無効にしている。
【００１５】
また、本発明においては、設定済み表示手段により画面に表示されたアイコンもしくは指標の機能の内容を示す値の変更が指示されると、この指示された機能の内容を示す入力値を変更している。
【００１６】
更に、本発明においては、各アイコンもしくは各指標の機能の内容を示すそれぞれの値として、設定済み表示手段により表示される前の非選択時の値と設定済み表示手段により表示された後の選択時のデフォルト値とを管理している。
【００１７】
また、本発明においては、アイコンもしくは指標の機能の内容を示すデフォルト値を管理しており、アイコンもしくは指標の機能の内容を示すデフォルト値の変更が指示されると、このデフォルト値を変更している。
【００１８】
更に、本発明においては、規定の入力操作に応答して、設定済み表示手段によりアイコンもしくは指標が画面に表示されると、この表示されたアイコンもしくは指標の機能の内容を示すデフォルト値を入力値として設定している。
【００１９】
また、本発明においては、設定済み表示手段によりアイコンもしくは指標が画面に表示されたか否かにかかわらず、規定のアイコンもしくは指標の機能の内容を示すデフォルト値を入力値として常に設定している。
【００２０】
更に、本発明においては、設定済み表示手段は、画面に表示されたアイコンもしくは指標について、表示形態を切替えることを特徴とする請求項１に記載のインターフェース。
【００２１】
また、本発明においては、一覧表示手段により画面に表示されるアイコンもしくは指標が動画像であって、設定済み表示手段により画面に表示されるアイコンもしくは指標が前記動画像の１コマからなる静止画像である。
【００２２】
更に、本発明においては、一覧表示手段により画面に表示されるアイコンもしくは指標が動画像であって、設定済み表示手段により画面に表示されるアイコンもしくは指標が前記動画像の複数コマを組み合わせてなる静止画像である。
【００２３】
一方、本発明の印刷制御装置は、複数の印刷機能に対応する各アイコンもしくは各指標を画面に表示し、各アイコンもしくは各指標を画面上で選択的に指示する印刷制御装置において、各アイコンもしくは各指標を画面に一覧表示する一覧表示手段と、一覧表示手段により画面に一覧表示された各アイコンもしくは各指標が選択的に指示されると、前記一覧表示手段による表示とは別に、該指示されたアイコンもしくは指標に応じて設定済みとなったアイコンもしくは指標を画面に表示する設定済み表示手段とを備えている。
【００２４】
また、本発明においては、設定済み表示手段により画面に表示されたアイコンもしくは指標に対応する印刷機能を用いて、印刷を指示している。
【発明の効果】
【００２５】
この様な本発明のインターフェースによれば、一覧表示手段は、複数の機能に対応する各アイコンもしくは各指標を画面に一覧表示している。このため、ユーザは、多くのアイコンもしくは指標を直ぐに見ることができて、それらの機能を知ることができ、利用したことがあってもなくても、それらの存在を知ることができる。また、設定済み表示手段は、一覧表示された各アイコンもしくは各指標が選択的に指示されると、一覧表示とは別に、該指示されたアイコンもしくは指標に応じて設定済みとなったアイコンもしくは指標を画面に表示している。このため、設定済みのアイコンもしくは指標を容易に認識することができる。
【００２６】
尚、アイコンは、各種の機能の内容が直感的に分かるようにデザインされたマークである。また、ここでいう指標は、各種の機能の内容が容易に分かるように印された記号、符号、文字列等を含む。
【００２７】
各アイコンもしくは各指標を画面に一覧表示するには、画面上に各アイコンもしくは各指標を順次繰り返して表示すれば良い。例えば、特定の表示領域で、各アイコンもしくは各指標を、一定個数ずつ順次繰り返して移動表示させたり交代表示させる。あるいは、各アイコンもしくは各指標をスクロール表示しても良い。これにより、全てのアイコンもしくは指標を見ることが可能なり、存在を知られないアイコンが生じることもない。
【００２８】
また、本発明によれば、各アイコンもしくは各指標の機能の内容を示すそれぞれの値を管理しており、アイコンもしくは指標が指示されて、設定済み表示手段によりアイコンもしくは指標が画面に表示されると、この表示されたアイコンもしくは指標の機能の内容を示す値を入力値として設定している。例えば、アイコンもしくは指標の機能が画像を回転させる機能であって、この機能の内容を示す値が回転角度９０°及び１８０°のいずれかを表す場合は、回転角度９０°及び１８０°のいずれかを表す値を入力値として設定している。
【００２９】
設定済み表示手段により画面に表示されたアイコンもしくは指標の削除が指示された場合は、この指示されたアイコンもしくは指標の機能の内容を示す入力値を無効にする。また、設定済み表示手段により画面に表示されたアイコンもしくは指標の機能の内容を示す値の変更が指示された場合は、この指示された機能の内容を示す入力値を変更している。これにより、アイコンもしくは指標を一旦選択して設定した後でも、設定内容を容易に変更することが可能になる。
【００３０】
更に、本発明によれば、アイコンもしくは指標の機能の内容を示す値として、設定済み表示手段により表示される前の非選択時の値と設定済み表示手段により表示された後の選択時のデフォルト値とを管理している。このため、アイコンもしくは指標が選択されたときには、アイコンもしくは指標の機能の内容を示すデフォルト値を入力値として設定することができ、入力操作の簡略化を図ることができる。
【００３１】
また、デフォルト値を変更することができるので、所望のデフォルト値を設定することができる。
【００３２】
更に、規定の入力操作に応答して、設定済み表示手段によりアイコンもしくは指標が画面に表示されるだけで、この表示されたアイコンもしくは指標の機能の内容を示すデフォルト値が入力値として設定される様にしている。
【００３３】
また、設定済み表示手段によりアイコンもしくは指標が画面に表示されたか否かにかかわらず、規定のアイコンもしくは指標の機能の内容を示すデフォルト値を入力値として常に設定しているので、この規定のアイコンもしくは指標の指示や入力値の設定を行わずに済み、入力操作を大幅に簡略化することができる。この規定のアイコンもしくは指標とは、必ず用いるべき機能に対応するものである。
【００３４】
更に、本発明によれば、設定済み表示手段により画面に表示されるアイコンもしくは指標について、表示形態を切替えることができるので、ユーザが識別し易い所望の表示形態を選択することができる。
【００３５】
また、本発明によれば、一覧表示手段により表示されるアイコンもしくは指標が動画像であって、設定済み表示手段により表示されるアイコンもしくは指標が動画像の１コマからなる静止画像又は動画像の複数コマを組み合わせてなる静止画像である。この場合は、一覧表示手段により表示されるアイコンもしくは指標が動画像であることから、アイコンもしくは指標の機能をより明確に知らせることができる。設定済み表示手段により表示されるアイコンもしくは指標については、選択指示された後のものであることから、アイコンもしくは指標の機能を明確に知らせる必要がなく、このために静止画像で表示し、表示制御の処理量の節減を図る。また、動画像のコマが利用されているので、静止画像と動画像との関係が明確になる。
【００３６】
一方、他の本発明の印刷制御装置でも、複数の印刷機能に対応する各アイコンもしくは各指標を画面に一覧表示している。このため、ユーザは、多くのアイコンもしくは指標を直ぐに見ることができて、それらの印刷機能を知ることができ、利用したことがあってもなくても、それらの存在を知ることができる。また、一覧表示された各アイコンもしくは各指標が選択的に指示されると、一覧表示とは別に、該指示されたアイコンもしくは指標に応じて設定済みとなったアイコンもしくは指標を画面に表示している。このため、設定済みの印刷機能を容易に認識することができる。
【００３７】
また、設定済み表示手段により表示されたアイコンもしくは指標に対応する印刷機能を用いて、印刷を指示しているので、設定された印刷機能を容易かつ確実に把握してから、印刷を実行することができる。また、印刷機能の選択並びに設定から実行までの処理を速やかかつ確実に行うことができる。
【発明を実施するための最良の形態】
【００３８】
以下、本発明の実施形態を添付図面を参照しつつ詳細に説明する。
【００３９】
図１は、本発明の印刷制御装置の一実施形態を示すブロック図である。本実施形態の印刷制御装置１０は、パーソナルコンピュータ１１、プリンタ１２、表示デバイス１３、及びキーボード１４やポインティングデバイス（例えばマウス）１５等からなる。
【００４０】
パーソナルコンピュータ１１は、このコンピュータ１１を統括的に制御するＣＰＵ（中央処理装置）２１、各種のプログラムやデータ等を記憶するＲＯＭ２２、各種のデータを一時的に記憶したりワークエリアとして用いられるＲＡＭ２３、各種のプログラムやデータ等を記憶するＨＤＤ（ハードディスク装置）２４、ネットワークを通じて、プリンタ１２に接続されるネットワークインターフェース部２５、表示デバイス１３に接続されるディスプレイインターフェース部２６、及びキーボード１４やポインティングデバイス１５等に接続される入力インターフェース部２７等を備えている。
【００４１】
ＣＰＵ２１は、ＨＤＤ２４からオペレーティングシステムＯＳやアプリケーション等を読み出し、オペレーティングシステムＯＳを基にして、アプリケーションを実行し、ネットワークインターフェース部２５を通じて、プリンタ１２を制御したり、ディスプレイインターフェース部２６を通じて、表示デバイス１３を表示制御したり、入力インターフェース部２７を通じて、キーボード１４やマウス１５等からのデータや指示を入力し、これによりプリンタ１２のドライバ並びにインターフェースの機能を実現する。
【００４２】
図２は、プリンタ１２のドライバ並びにインターフェースの機能を実現するためのアプリケーションの構成を示す機能ブロック図である。このアプリケーション３０は、ＣＰＵ２１によりＨＤＤ２４から読み出され実行されて、その機能を果たす。
【００４３】
このアプリケーション３０は、データ通信部３１、出力データ生成部３２、設定情報記憶部３３、機能規定値保持部３４、プリンタドライバ機能一覧表示部３５、及びプリンタドライバ設定済み機能表示部３６等を含んでいる。
【００４４】
データ通信部３１は、他のアプリケーションとの間でデータ通信を行うものであり、例えば文書作成用のアプリケーションから印刷対象となる文書データを受信したり、操作入力制御用のアプリケーションからキーボード１４やマウス１５で入力されたデータや指示を受信する。
【００４５】
出力データ生成部３２は、プリンタ１２で解釈可能な印刷データを作成して、この印刷データをネットワークインターフェース部２５からネットワークを通じてプリンタ１２へと出力するものであり、文書データや画像データをプリンタ１２で解釈可能な印刷データに変換して出力する。
【００４６】
設定情報記憶部３３は、図３に示す様な機能テーブルＤ１、図４に示す様なアイコン及び文字列テーブルＤ２、及び図５に示す様なアイコン静止画テーブルＤ３を記憶している。
【００４７】
図３の機能テーブルＤ１には、印刷機能名と、印刷機能の内容を示すそれぞれの値（未設定時の値、デフォルト値、及びユーザ設定値）とが対応付けて記憶されている。例えば、印刷機能「ステープル」に対応付けて、未設定時の値「無し」、デフォルト値「２箇所とじ」、及びユーザ設定値「１箇所とじ」が記憶されている。また、印刷機能「カラーモード」に対応付けて、未設定時の値「自動」、デフォルト値「カラー印刷」、及びユーザ設定値「モノクロ印刷」が記憶されている。
【００４８】
ユーザ設定値は、キーボード１４やポインティングデバイス１５の入力操作により印刷機能名と共に指示されて、データ通信部３１を介して設定情報記憶部３３に通知され、この設定情報記憶部３３で印刷機能名に対応付けて機能テーブルＤ１に記憶される。
【００４９】
また、デフォルト値は、印刷機能名に対応付けて機能テーブルＤ１に予め記憶されたものである。この機能テーブルＤ１のデフォルト値を変更する場合は、キーボード１４やポインティングデバイス１５の操作によりデフォルト値と印刷機能名が指示されて、デフォルト値と印刷機能名がデータ通信部３１を介して設定情報記憶部３３に通知され、この設定情報記憶部３３で印刷機能名に対応するデフォルト値が通知されたものに変更される。
【００５０】
図４のアイコン及び文字列テーブルＤ２には、印刷機能に属する機能項目名と、機能項目を表す文字列と、機能項目を表すアイコンへのリンクデータとが対応付けて記憶されている。例えば、「カラーモード」という印刷機能に属する機能項目「モノクロ印刷」に対応付けて、機能項目の文字列「モノクロ」、及び機能項目のアイコンへのリンクデータ「mono.ico」が記憶されている。また、「カラーモード」という印刷機能に属する他の機能項目「カラー印刷」に対応付けて、機能項目の文字列「カラー」、及び機能項目のアイコンへのリンクデータ「color.ico」が記憶されている。あるいは、「ステープル」という印刷機能に属する機能項目「１箇所とじ」に対応付けて、機能項目の文字列「１箇所とじ」、及び機能項目のアイコンへのリンクデータ「1punch.ico」が記憶されている。また、「ステープル」という印刷機能に属する他の機能項目「２箇所とじ」に対応付けて、機能項目の文字列「２箇所とじ」、及び機能項目のアイコンへのリンクデータ「2punch.ico」が記憶されている。
【００５１】
図５のアイコン静止画テーブルＤ３には、動画像のアイコンに係わるデータのみが記憶されており、機能項目名と、機能項目を表す文字列と、機能項目を表す静止画像のアイコンの構成方法とが対応付けて記憶されている。例えば、機能項目「１箇所とじ」に対応付けて、機能項目の文字列「１箇所とじ」、及び機能項目の静止画像のアイコンの構成方法「ステープル設定動画の４コマ目」、つまり動画像のアイコンの４コマ目を用いる旨が記憶されている。また、印刷機能に属する機能項目「１８０°回転」に対応付けて、機能項目の文字列「１８０°回転」、及び機能項目の静止画像のアイコンの構成方法「回転設定動画の１コマ目と４コマ目を結合」、つまり動画像のアイコンの１コマ目と４コマ目を結合して用いる旨が記憶されている。
【００５２】
尚、図３の機能テーブルＤ１におけるデフォルト値及びユーザ設定値は、図４のアイコン及び文字列テーブルＤ２及び図５のアイコン静止画テーブルＤ３における機能項目に対応する。
【００５３】
機能規定値保持部３４は、図６に示す様な表示状態テーブルＤ４、及び図７に示す様な印刷機能制限テーブルＤ５を記憶している。
【００５４】
図６の表示状態テーブルＤ４には、印刷機能名と、プリンタドライバ機能一覧表示部３５によりアイコン又は文字列が表示されているか否かを示す一覧表示フラッグと、プリンタドライバ設定済み機能表示部３６によりアイコン又は文字列が表示されているか否かを示す設定済み表示フラッグとが対応付けて記憶され、更に設定済み表示フラッグが「○」であれば、デフォルト値又はユーザ設定値も対応付けて記憶される。例えば、印刷機能「カラーモード」に対応付けて、プリンタドライバ機能一覧表示部３５によりアイコン又は文字列が表示されていることを示す一覧表示フラッグ「○」が記憶され、プリンタドライバ設定済み機能表示部３６によりアイコン又は文字列が表示されていることを示す設定済み表示フラッグ「○」が記憶され、更に設定済み表示フラッグが「○」であることからデフォルト値が対応付けて記憶されている。また、印刷機能「パンチ」に対応付けて、プリンタドライバ機能一覧表示部３５によりアイコン又は文字列が表示されていることを示す一覧表示フラッグ「○」が記憶され、プリンタドライバ設定済み機能表示部３６によりアイコン又は文字列が表示されていないことを示す設定済み表示フラッグ「×」が記憶され、更に設定表示フラッグが「×」であることからデフォルト値及びユーザ設定値のいずれも記憶されていない。
【００５５】
図７の機能制限テーブルＤ５には、常に設定される機能項目名と、機能項目を表す文字列と、機能項目を表すアイコンへのリンクデータと、デフォルト値とが対応付けて記憶されている。例えば、機能項目「トップシークレット」と、機能項目の文字列「TOP SECRET」と、機能項目のアイコンへのリンクデータ「secret.ico」と、デフォルト値とが対応付けて記憶されている。
【００５６】
プリンタドライバ機能一覧表示部３５は、機能規定値保持部３４における図６の表示状態テーブルＤ４を参照し、一覧表示フラッグが「○」となっている印刷機能名を全て読み出して、これらの印刷機能に対応するそれぞれのアイコンをＨＤＤ２４から読み出して、これらのアイコンを表示デバイス１３の画面に一覧表示するための表示制御をディスプレイインターフェース部２６を通じて行う。例えば、図８に示す様なウインドウＷ1を表示デバイス１３の画面に表示し、このウインドウＷ1の一覧表示領域Ａに各アイコンＩ1、Ｉ2、…を表示する。
【００５７】
また、例えばキーボード１４やポインティングデバイス１５の入力操作により一覧表示領域Ａのスクロール部ａ１が操作されたときには、この操作内容がデータ通信部３１を介してプリンタドライバ機能一覧表示部３５に通知される。これに応答してプリンタドライバ機能一覧表示部３５は、一覧表示領域Ａの各アイコンＩ1、Ｉ2、…をスクロール表示させる。このスクロール表示により、各アイコンＩ1、Ｉ2、…の全てが順次表示される。
【００５８】
プリンタドライバ設定済み機能表示部３６は、機能規定値保持部３４における図７の機能制限テーブルＤ５を参照し、機能制限テーブルＤ５に記憶されている機能項目に対応する文字列又はアイコンへのリンクデータを読み出して、文字列又はリンクデータにより取得されるアイコンを図８のウインドウＷ1の設定済み表示領域Ｂに表示する。
【００５９】
また、プリンタドライバ設定済み機能表示部３６は、キーボード１４やポインティングデバイス１５の入力操作により一覧表示領域Ａのアイコンが選択されると、この選択されたアイコンをデータ通信部３１を介して通知される。プリンタドライバ設定済み機能表示部３６は、この選択されたアイコンを通知されると、設定情報記憶部３３における図３の機能テーブルＤ１を参照して、この選択されたアイコンに対応する印刷機能のデフォルト値又はユーザ設定値を読み出し、設定情報記憶部３３における図４のアイコン及び文字列テーブルＤ２を参照し、この読み出したデフォルト値又はユーザ設定値（機能項目）に対応する文字列又はアイコンへのリンクデータを読み出して、文字列又はリンクデータにより取得されるアイコンを表示デバイス１３の画面に表示するための表示制御をディスプレイインターフェース部２６を通じて行う。
【００６０】
更に、プリンタドライバ設定済み機能表示部３６は、設定済み表示領域Ｂに文字列又はアイコンを表示すると、機能規定値保持部３４における図６の表示状態テーブルＤ４を参照して、この表示した文字列又はアイコンの機能項目が属する印刷機能に対応する設定済み表示フラッグを「○」に設定し、この表示した文字列又はアイコンの機能項目（デフォルト値又はユーザ設定値）を記憶する。
【００６１】
これにより、例えば図９に示す様にウインドウＷ1の設定済み表示領域Ｂに各アイコンｉ1、ｉ2、…が表示される。
【００６２】
本実施形態の印刷制御装置１０では、アプリケーション３０が起動されると、まず、例えば図８に示す様なウインドウＷ1が表示デバイス１３の画面に表示され、このウインドウＷ1に一覧表示領域Ａ及び設定済み表示領域Ｂ等が表示される。そして、プリンタドライバ機能一覧表示部３５により、図６の表示状態テーブルＤ４における一覧表示フラッグ「○」の印刷機能名が全て読み出されて、これらの印刷機能に対応するそれぞれのアイコンが一覧表示領域Ａに一覧表示される。また、アプリケーション３０の起動直後では、キーボード１４やポインティングデバイス１５の入力操作による一覧表示領域Ａのアイコンの選択が行われていないので、図７の機能制限テーブルＤ５における機能項目に対応する文字列又はアイコンのみが設定済み表示領域Ｂに表示される。
【００６３】
この後、図８のウインドウＷ1で、キーボード１４やポインティングデバイス１５の入力操作により一覧表示領域Ａのアイコンが選択されると、プリンタドライバ設定済み機能表示部３６により、図３の機能テーブルＤ１における該選択されたアイコンに対応する印刷機能のデフォルト値又はユーザ設定値が読み出され、図４のアイコン及び文字列テーブルＤ２における該読み出されたデフォルト値又はユーザ設定値（機能項目）に対応する文字列又はアイコンへのリンクデータが読み出され、図９に示す様に該文字列又は該リンクデータにより取得されるアイコンが設定済み表示領域Ｂに表示される。そして、キーボード１４やポインティングデバイス１５の入力操作により一覧表示領域Ａのアイコンが選択される度に、同様の処理が行われて、設定済み表示領域Ｂに表示される文字列又はアイコンが増加して行く。
【００６４】
尚、ウインドウＷ1には、通常設定領域Ｃも表示されている。この通常設定領域Ｃには、使用頻度が非常に高い印刷機能の内容を設定するための、各機能項目の内容の記入欄が表示される。例えば、印刷部数の記入欄ｃ1、１枚の印刷用紙にレイアウトされる頁数の記入欄ｃ2、及び両面印刷の記入欄ｃ3が表示される。これらの記入欄ｃ1、ｃ2、ｃ3には、キーボード１４やポインティングデバイス１５の入力操作によりそれぞれの値等が記入される。
【００６５】
次に、図１０のフローチャートを参照しつつ、文字列又はアイコンを設定済み表示領域Ｂに表示するためのプリンタドライバ設定済み機能表示部３６による表示制御を詳しく説明する。
【００６６】
まず、プリンタドライバ設定済み機能表示部３６は、キーボード１４やポインティングデバイス１５の入力操作による一覧表示領域Ａのアイコンの選択を待機している（ステップＳ１０１）。このとき、キーボード１４やポインティングデバイス１５の入力操作により一覧表示領域Ａのアイコンが選択されて指示されると、この指示された一覧表示領域Ａのアイコンがデータ通信部３１を介してプリンタドライバ設定済み機能表示部３６に通知される。プリンタドライバ設定済み機能表示部３６は、この指示された一覧表示領域Ａのアイコンを通知されると（ステップＳ１０１で「Ｙｅｓ」）、この指示された一覧表示領域Ａのアイコンの印刷機能を設定するためのウインドウをＨＤＤ２４から読み出して、このウインドウを表示デバイス１３に表示する（ステップＳ１０２）。
【００６７】
例えば、図８のウインドウＷ1で、入力操作により一覧表示領域Ａの印刷機能「カラーモード」のアイコンＩ2が指示されると、図１１に示す様な印刷機能を設定するためのウインドウＷ2が表示デバイス１３に表示される。このウインドウＷ2には、印刷機能「カラーモード」に属する各機能項目「カラー印刷」及び「モノクロ印刷」のチェック欄Ｅ1、Ｅ2が表示されている。また、ＯＫボタンＥ3及びキャンセルボタンＥ4が表示されている。
【００６８】
そして、図１１のウインドウＷ2で、キーボード１４やポインティングデバイス１５の入力操作により、例えば機能項目「カラー印刷」のチェック欄Ｅ1が選択されて、ＯＫボタンＥ3が指示されると（ステップＳ１０３で「ＯＫ」）、この機能項目「カラー印刷」がデータ通信部３１を介してプリンタドライバ設定済み機能表示部３６に通知される。プリンタドライバ設定済み機能表示部３６は、機能項目「カラー印刷」を通知されると、図４のアイコン及び文字列テーブルＤ２を参照して、機能項目「カラー印刷」に対応するアイコンへのリンクデータを読み出し、図９に示す様に該リンクデータにより取得されるアイコンｉ2を設定済み表示領域Ｂに表示する（ステップＳ１０４）。あるいは、図４のアイコン及び文字列テーブルＤ２を参照して、機能項目「カラー印刷」に対応する文字列を読み出し、この読み出した文字列を設定済み表示領域Ｂに表示する（ステップＳ１０４）。
【００６９】
また、図１１のウインドウＷ2で、機能項目「モノクロ印刷」のチェック欄Ｅ2が選択されて、ＯＫボタンＥ3が指示されたときには（ステップＳ１０３で「ＯＫ」）、機能項目「モノクロ印刷」に対応する文字列又はアイコンのリンクデータが読み出され、該文字列又は該リンクデータにより取得されるアイコンが設定済み表示領域Ｂに表示される（ステップＳ１０４）。
【００７０】
更に、プリンタドライバ設定済み機能表示部３６は、設定済み表示領域Ｂに文字列又はアイコンを表示すると、図６の表示状態テーブルＤ４を参照して、この表示したアイコンの機能項目が属する印刷機能に対応する設定済み表示フラッグを「○」に設定し、更に該印刷機能に対応付けて、該表示したアイコンの機能項目「カラー印刷」又は機能項目「モノクロ印刷」（デフォルト値又はユーザ設定値）を記憶する。
【００７１】
また、図１１のウインドウＷ2で、キーボード１４やポインティングデバイス１５の入力操作により、各機能項目のチェック欄Ｅ1、Ｅ2が選択されたか否かにかかわらず、キャンセルボタンＥ4が指示されると（ステップＳ１０３で「Cancel」）、この表示制御を中断して、図１１のウインドウＷ2を消去する。
【００７２】
この様なプリンタドライバ設定済み機能表示部３６の表示制御は、キーボード１４やポインティングデバイス１５の入力操作により一覧表示領域Ａのアイコンが指示されると、その度に行われ、設定済み表示領域Ｂに表示されるアイコンが増加して行く。
【００７３】
次に、図１２のフローチャートを参照しつつ、設定済み表示領域Ｂのアイコン又は文字列のキャンセルや変更を行うのためのプリンタドライバ設定済み機能表示部３６による表示制御を詳しく説明する。
【００７４】
設定済み表示領域Ｂに機能項目のアイコン又は文字列が表示された状態で、アイコン又は文字列をキャンセルしたり変更することができる。
【００７５】
まず、キーボード１４やポインティングデバイス１５の入力操作により設定済み表示領域Ｂのアイコン又は文字列が指示されると、この選択されたアイコン又は文字列がデータ通信部３１を介してプリンタドライバ設定済み機能表示部３６に通知される。プリンタドライバ設定済み機能表示部３６は、設定済み表示領域Ｂのアイコン又は文字列を通知されると（ステップＳ２０１で「Ｙｅｓ」）、このアイコン又は文字列のキャンセルや変更のためのふきだしウインドウをＨＤＤ２４から読み出して、このふきだしウインドウを表示デバイス１３に表示する（ステップＳ２０２）。
【００７６】
例えば、図９のウインドウＷ1で、入力操作により設定済み表示領域Ｂのアイコンｉ2が指示されると、図１３に示す様なアイコンｉ2に係わるふきだしウインドウＷ3が表示デバイス１３に表示される。このふきだしウインドウＷ3には、変更ボタンＦ1及び削除ボタンＦ2が表示されている。
【００７７】
図１３のアイコンｉ2に係わるふきだしウインドウＷ3で、キーボード１４やポインティングデバイス１５の入力操作により、例えば削除ボタンＦ2が選択されて指示されると（ステップＳ２０３で「削除ボタン」）、プリンタドライバ設定済み機能表示部３６は、設定済み表示領域Ｂのアイコンｉ2を削除する。また、図６の表示状態テーブルＤ４を参照して、この削除したアイコンの機能項目（デフォルト値又はユーザ設定値）を削除し、この削除したアイコンの機能項目に対応する設定済み表示フラッグを「×」に設定する（ステップＳ２０４）。
【００７８】
また、図１３のアイコンｉ2に係わるふきだしウインドウＷ3で、キーボード１４やポインティングデバイス１５の入力操作により、変更ボタンＦ1が選択されて指示されると（ステップＳ２０３で「変更ボタン」）、プリンタドライバ設定済み機能表示部３６は、このアイコンｉ2に係わる印刷機能を設定するためのウインドウをＨＤＤ２４から読み出して、このウインドウを表示デバイス１３に表示する（ステップＳ２０５）。
【００７９】
例えば、アイコンｉ2に係わる印刷機能を設定するためのウインドウとして、図１１のウインドウＷ2が表示デバイス１３に表示される。そして、図１１のウインドウＷ2で、キーボード１４やポインティングデバイス１５の入力操作により、例えば機能項目「モノクロ印刷」のチェック欄Ｅ2が選択されて、ＯＫボタンＥ3が指示されると（ステップＳ２０６で「ＯＫ」）、プリンタドライバ設定済み機能表示部３６は、図４のアイコン及び文字列テーブルＤ２を参照して、機能項目「モノクロ印刷」に対応するアイコンへのリンクデータを読み出し、図１４に示す様に該読み出したリンクデータにより取得されるアイコンｉ3を設定済み表示領域Ｂに表示する。あるいは、図４のアイコン及び文字列テーブルＤ２を参照して、機能項目「モノクロ印刷」に対応する文字列を読み出し、この読み出した文字列を設定済み表示領域Ｂに表示する。そして、図６の表示状態テーブルＤ４を参照して、機能項目「モノクロ印刷」が属する印刷機能に対応付けて、機能項目「モノクロ印刷」（ユーザ設定値）を記憶する（ステップＳ２０７）。この印刷機能には、機能項目「モノクロ印刷」だけでなく、他の機能項目「カラー印刷」も属しており、この印刷機能に対応付けて機能項目「カラー印刷」（デフォルト値）が記憶されていたので、このデフォルト値が消去されてから、ユーザ設定値が記憶されることになる。
【００８０】
また、図１１のウインドウＷ2で、キーボード１４やポインティングデバイス１５の入力操作により、各機能項目のチェック欄Ｅ1、Ｅ2が指示されたか否かにかかわらず、キャンセルボタンＥ4が指示されると（ステップＳ２０６で「Ｃａｎｃｅｌ」）、この表示制御を中断して、図１１のウインドウＷ2を消去する。
【００８１】
一方、図１０及び図１２の表示制御とは別に、プリンタドライバ設定済み機能表示部３６は、図７の機能制限テーブルＤ５を参照し、機能項目の文字列又はアイコンへのリンクデータを読み出し、文字列又はリンクデータにより取得されるアイコンを設定済み表示領域Ｂに表示する。これらの文字列又はアイコンは、例えば管理者により印刷機能の制限事項として設定されたものであって、機能制限文字列又は機能制限アイコンと称する。
【００８２】
また、キーボード１４やポインティングデバイス１５の入力操作により設定済み表示領域Ｂ下側のロックボタンＬが指示されると、このロックボタンＬがデータ通信部３１を介してプリンタドライバ設定済み機能表示部３６に通知される。プリンタドライバ設定済み機能表示部３６は、このロックボタンＬを通知されると、機能制限文字列又は機能制限アイコンを表示するか否かを設定するためのウインドウをＨＤＤ２４から読み出して、このウインドウを表示デバイス１３に表示する。例えば、図１５に示す様なウインドウＷ4を表示する。このウインドウＷ4には、機能制限文字列又は機能制限アイコンについての説明、ＯＫボタンＬ2、及びキャンセルボタンＬ3が表示されている。
【００８３】
そして、図１５のウインドウＷ4で、キーボード１４やポインティングデバイス１５の入力操作によりＯＫボタンＬ2が指示されると、プリンタドライバ設定済み機能表示部３６は、機能制限テーブルＤ５を参照して、機能項目の文字列又はアイコンのリンクデータを読み出し、文字列又はリンクデータにより取得されるアイコンを、機能制限文字列又は機能制限アイコンとして設定済み表示領域Ｂに表示する。例えば、機能項目「トップシークレット」のアイコンｉ1を設定済み表示領域Ｂに表示する。
【００８４】
また、図１５のウインドウＷ3で、キーボード１４やポインティングデバイス１５の入力操作によりキャンセルボタンＬ3が指示されると、プリンタドライバ設定済み機能表示部３６は、設定済み表示領域Ｂに表示されている機能制限文字列又は機能制限アイコンを消去する。例えば、機能項目「トップシークレット」のアイコンｉ1を設定済み表示領域Ｂから消去する。
【００８５】
ただし、設定済み表示領域Ｂに表示されている機能制限文字列又は機能制限アイコンが消去されても、機能制限テーブルＤ５の文字列又はリンクデータに対応するデフォルト値は消去されない。
【００８６】
次に、図１６のフローチャートを参照しつつ、設定済み表示領域Ｂにアイコン及び文字列のいずれを表示するかを選択するためのプリンタドライバ設定済み機能表示部３６による表示制御を詳しく説明する。
【００８７】
プリンタドライバ設定済み機能表示部３６による表示制御に際しては、設定済み表示領域Ｂにアイコン及び文字列のいずれかを選択的に表示することができる。
【００８８】
まず、キーボード１４やポインティングデバイス１５の入力操作により設定済み表示領域Ｂ上側のアイコンボタンＧ1又はリストボタンＧ2が選択されて指示されると、この指示されたアイコンボタンＧ1又はリストボタンＧ2がデータ通信部３１を介してプリンタドライバ設定済み機能表示部３６に通知される。
【００８９】
プリンタドライバ設定済み機能表示部３６は、例えばアイコンボタンＧ1が選択されて通知されると（ステップＳ３０１で「アイコン」）、図６の表示状態テーブルＤ４を参照して、設定済み表示フラッグが「○」となっている機能項目名を全て読み出し、図４のアイコン及び文字列テーブルＤ２を参照して、該読み出した全ての機能項目に対応する全てのアイコンのリンクデータを読み出し（ステップＳ３０２）、この読み出した全てのリンクデータにより取得される全てのアイコンを設定済み表示領域Ｂに表示する（ステップＳ３０３）。このとき、機能制限文字列又は機能制限アイコンが設定済み表示領域Ｂに表示されることになっていれば、機能制限テーブルＤ５のリンクデータにより取得されるアイコンも表示される。
【００９０】
また、プリンタドライバ設定済み機能表示部３６は、例えばリストボタンＧ2が選択されて通知されると（ステップＳ３０１で「リスト」）、図６の表示状態テーブルＤ４を参照して、設定済み表示フラッグが「○」となっている機能項目名を全て読み出し、図４のアイコン及び文字列テーブルＤ２を参照して、該読み出した全ての機能項目に対応する全ての文字列を読み出し（ステップＳ３０４）、この読み出した全ての文字列を設定済み表示領域Ｂに表示する（ステップＳ３０５）。このとき、機能制限文字列又は機能制限アイコンが設定済み表示領域Ｂに表示されることになっていれば、機能制限テーブルＤ５の文字列も表示される。図１７は、設定済み表示領域Ｂに文字列を表示した例である。
【００９１】
次に、図１８のフローチャートを参照しつつ、印刷処理を実行するための制御を詳しく説明する。
【００９２】
図１０の表示制御により所望の機能項目のアイコン又は文字列が設定済み表示領域Ｂに表示され、更に図１２の表示制御によりアイコン又は文字列がキャンセルされたり変更された後で、印刷処理の開始を指示すると、印刷処理が実行される。
【００９３】
まず、キーボード１４やポインティングデバイス１５の入力操作により一覧表示領域Ａ下側のＯＫボタンＨ1が指示されると（ステップＳ４０１で「Ｙｅｓ」）、この指示されたＯＫボタンＨ1がデータ通信部３１を介して出力データ生成部３２に通知される。
【００９４】
出力データ生成部３２は、ＯＫボタンＨ1を通知されると、図６の表示状態テーブルＤ４を参照して、設定済み表示フラッグ「○」に対応するデフォルト値又はユーザ設定値を読み出し（ステップＳ４０２）、また図７の機能制限テーブルＤ５を参照して、文字列又はリンクデータに対応するデフォルト値を読み出し、更にウインドウＷ1の通常設定領域Ｃで設定されている各印刷機能の内容を示すそれぞれの値等を求める。そして、それらの読み出したデフォルト値もしくはユーザ設定値等に基づいて、プリンタ１２で解釈可能な印刷データを作成し、この印刷データをネットワークインターフェース部２５からネットワークを通じてプリンタ１２へと出力する（ステップＳ４０３）。
【００９５】
例えば、図６の表示状態テーブルＤ４が参照されて、設定済み表示フラッグが「○」となっている機能項目「カラーモード」及び「ステープル」に対応する機能項目「カラー印刷」（デフォルト値）及び機能項目「１箇所とじ」（ユーザ設定値）が読み出される（ステップＳ４０２）。また、図７の機能制限テーブルＤ５が参照されて、機能項目「トップシークレット」（デフォルト値）が読み出される。更に、通常設定領域Ｃで設定された「部数２」が求められる。そして、「カラー印刷」、「１箇所とじ」、「トップシークレット」、及び「部数２」を満たすプリンタ１２で解釈可能な印刷データが作成され、この印刷データがプリンタ１２へと出力される。プリンタ１２は、印刷データをカラーで記録用紙に印刷し、印刷済みの複数枚の記録用紙の１箇所をとじ、印刷データもしくは各記録用紙を極秘扱いとするための処理を行い、２部の印刷を行う。
【００９６】
尚、図６の表示状態テーブルＤ４を参照して、設定済み表示フラッグ「×」に対応する未使用時の値があれば、この未使用時の値を読み出して、この未使用時の値（印刷機能の機能項目）を用いても良い。
【００９７】
この様に本実施形態では、一覧表示領域Ａに複数のアイコンが一覧表示され、スクロール操作により各アイコンの全てが順次表示される。このため、ユーザは、多くのアイコンもしくは指標を直ぐに見ることができて、それらの機能を知ることができ、利用したことがあってもなくても、それらの存在を知ることができる。また、一覧表示領域Ａのアイコンが指示されると、この指示されたアイコンを設定済み表示領域Ｂに表示しているので、設定済みのアイコンの機能を容易に認識することができる。更に、印刷機能毎に、デフォルト値とユーザ設定値を選択して設定することができ、多様な印刷機能を使用することができる。
【００９８】
ところで、本実施形態では、図１０の表示制御に際し、図８のウインドウＷ1で各機能項目のチェック欄Ｅ1、Ｅ2のいずれかが選択されると、これに応答して図３の機能テーブルＤ１からデフォルト値又はユーザ設定値のいずれかが選択される様にしているが、この代わりに、ポインティングデバイス１５のドラッグアンドドロップ操作により、一覧表示領域Ａのアイコンが設定済み表示領域Ｂに移動されたときには、図８のウインドウＷ1が省略されて、図３の機能テーブルＤ１からデフォルト値が一義的に選択される様にしても良い。これにより、入力操作が簡単化される。
【００９９】
例えば、図１９（ａ）、（ｂ）、（ｃ）に示す様にポインティングデバイス１５のドラッグアンドドロップ操作により一覧表示領域Ａの印刷機能「ステープル」のアイコンＩ3が設定済み表示領域Ｂに移動されると、このアイコンＩ3のドラッグアンドドロップ操作がデータ通信部３１を介してプリンタドライバ設定済み機能表示部３６に通知される。これに応答してプリンタドライバ設定済み機能表示部３６は、図３の機能テーブルＤ１を参照して、印刷機能「ステープル」に対応するデフォルト値及びユーザ設定値のうちから、デフォルト値（機能項目「２箇所とじ」）を選択して読み出し、図４のアイコン及び文字列テーブルＤ２を参照して、該読み出したデフォルト値（機能項目「２箇所とじ」）に対応する文字列又はアイコンへのリンクデータを読み出し、文字列又はリンクデータにより取得されるアイコンを設定済み表示領域Ｂに表示する。そして、プリンタドライバ設定済み機能表示部３６は、図６の表示状態テーブルＤ４を参照して、設定済み表示領域Ｂに表示したアイコンの機能項目が属する印刷機能に対応する設定済み表示フラッグを「○」に設定し、更に該印刷機能に対応付けて、該表示したアイコンの機能項目（デフォルト値）を記憶する。
【０１００】
また、一覧表示領域Ａにおいては、アイコンの動画像を表示しても良い。これにより、アイコンの機能をより明確に知らせることができる。設定済み表示領域Ｂに表示されるアイコンについては、既に選択されたものであることから、アイコンの機能を明確に知らせる必要がなく、このために静止画像で表示し、表示制御の処理量の節減を図る。
【０１０１】
また、一覧表示領域Ａにおいては、スクロール操作に応答して、各アイコンを移動表示させているが、この代わりに、各アイコンを常にエンドレスに繰り返し移動表示させても良い。あるいは、一覧表示領域Ａの代わりに、円筒体を表示し、この円筒体の周面に多数のアイコンを配置し、この円筒体を回転させて、多数のアイコンを常にエンドレスに繰り返し移動表示させても構わない。
【０１０２】
更に、各アイコンを常にエンドレスに繰り返し移動表示させる場合は、図２０（ａ）に示す様にアイコンＩaの動画像が１コマ間隔移動される度に、アイコンＩaの動画像の各コマＩa1、Ｉa2、Ｉa1、Ｉa2、…が順次表示される様にしても良い。
【０１０３】
そして、一覧表示領域Ａで動画像のアイコンＩaが選択されたときには、図５のアイコン静止画テーブルＤ３を参照して、静止画像のアイコンを設定し、この静止画像のアイコンを設定済み表示領域Ｂに表示する。
【０１０４】
例えば、図２０（ａ）のアイコンＩaの動画像が印刷機能「ステープル」を表し、この印刷機能「ステープル」のデフォルト値が設定されたものとする。この場合、プリンタドライバ設定済み機能表示部３６は、図３の機能テーブルＤ１を参照して、印刷機能「ステープル」に対応するデフォルト値及びユーザ設定値のうちから、「２箇所とじ」というデフォルト値を選択して読み出し、設定情報記憶部３３における図５のアイコン静止画テーブルＤ３を参照して、該読み出したデフォルト値（機能項目「２箇所とじ」）に対応する静止画像のアイコンの構成方法「ステープル設定動画の４コマ目」、つまり動画像のアイコンの４コマ目を用いる旨を読み出し、図２０（ｂ）に示す様な動画像のアイコンＩaの４コマ目Ｉa4を静止画像のアイコンｉ4として設定済み表示領域Ｂに表示する。
【０１０５】
あるいは、図２１（ａ）に示す様にアイコンＩbの動画像が印刷機能「回転」を表し、この印刷機能「回転」のデフォルト値が設定されたものとする。この場合、プリンタドライバ設定済み機能表示部３６は、図３の機能テーブルＤ１を参照して、例えば印刷機能「回転」に対応するデフォルト値及びユーザ設定値のうちから、「１８０°回転」というデフォルト値を選択して読み出し、図５のアイコン静止画テーブルＤ３を参照して、該読み出したデフォルト値（機能項目「１８０°回転」）に対応する静止画像のアイコンの構成方法「回転設定動画の１コマ目と４コマ目を結合」、つまり動画像のアイコンの１コマ目と４コマ目を結合して用いる旨を読み出し、図２１（ｂ）に示す様な動画像のアイコンＩbの１コマ目Ｉb1と４コマ目Ｉb4を結合したものを静止画像のアイコンｉbとして設定済み表示領域Ｂに表示する。
【０１０６】
更に、本実施形態では、アイコン及び文字列を表示しているが、これらの代わりに、機能の指標となる符号や記号、あるいはそれらを組み合わせたものを表示しても良い。
【０１０７】
また、一覧表示領域Ａのアイコンや文字列と設定済み表示領域Ｂのアイコンや文字列が同一であって、同一の機能を示していても良い。
【図面の簡単な説明】
【０１０８】
【図１】本発明の印刷制御装置の一実施形態を示すブロック図である。
【図２】図１の印刷制御装置におけるプリンタドライバ並びにインターフェースの機能を実現するためのアプリケーションの構成を示す機能ブロック図である。
【図３】図１の印刷制御装置における設定情報記憶部の機能テーブルを例示する図である。
【図４】図１の印刷制御装置における設定情報記憶部のアイコン及び文字列テーブルを例示する図である。
【図５】図１の印刷制御装置における設定情報記憶部のアイコン静止画テーブルを例示する図である。
【図６】図１の印刷制御装置における機能規定値保持部の表示状態テーブルを例示する図である。
【図７】図１の印刷制御装置における機能規定値保持部のアイコン静止画テーブルを例示する図である。
【図８】図１の印刷制御装置における表示デバイスに表示されるウインドウの一例を示す図である。
【図９】図８のウインドウの更新された表示内容を示す図である。
【図１０】図１の印刷制御装置において、文字列又はアイコンを設定済み表示領域に表示するための表示制御を示すフローチャートである。
【図１１】図１の印刷制御装置における表示デバイスに表示されるウインドウの他の例を示す図である。
【図１２】図１の印刷制御装置において、設定済み表示領域のアイコン又は文字列のキャンセルや変更を行うのための表示制御を示すフローチャートである。
【図１３】図１の印刷制御装置における表示デバイスに表示されるウインドウの別の例を示す図である。
【図１４】図９のウインドウの更新された表示内容を示す図である。
【図１５】図１の印刷制御装置における表示デバイスに表示されるウインドウの更に他の例を示す図である。
【図１６】図１の印刷制御装置において、設定済み表示領域にアイコン及び文字列のいずれを表示するかを選択するための表示制御を示すフローチャートである。
【図１７】図１の印刷制御装置における表示デバイスに表示されるウインドウの更に別の例を示す図である。
【図１８】図１の印刷制御装置において、印刷処理を実行するための制御を示すフローチャートである。
【図１９】（ａ）、（ｂ）、（ｃ）は、ドラッグアンドドロップ操作により一覧表示領域の印刷機能のアイコンが設定済み表示領域に移動されている様子を示す図である。
【図２０】（ａ）はアイコンの移動に同期して、アイコンの動画像の各コマが変化している様子を示し、（ｂ）はアイコンの静止画像として抽出された４コマ目を示す図である。
【図２１】（ａ）はアイコンの移動に同期して、アイコンの動画像の各コマが変化している様子を示し、（ｂ）はアイコンの静止画像として抽出された１コマ目と４コマ目を示す図である。
【符号の説明】
【０１０９】
１０  印刷制御装置
１１  パーソナルコンピュータ
１２  プリンタ
１３  表示デバイス
１４  キーボード
１５  ポインティングデバイス
２１  ＣＰＵ（中央処理装置）
２２  ＲＯＭ
２３  ＲＡＭ
２４  ＨＤＤ（ハードディスク装置）
２５  ネットワークインターフェース部
２６  ディスプレイインターフェース部
２７  入力インターフェース部
３１  データ通信部
３２  出力データ生成部
３３  設定情報記憶部
３４  機能規定値保持部
３５  プリンタドライバ機能一覧表示部
３６  プリンタドライバ設定済み機能表示部
【図１】
2006323504.tif 000003
【図２】
2006323504.tif 000004
【図３】
2006323504.tif 000005
【図４】
2006323504.tif 000006
【図５】
2006323504.tif 000007
【図６】
2006323504.tif 000008
【図７】
2006323504.tif 000009
【図８】
2006323504.tif 000010
【図９】
2006323504.tif 000011
【図１０】
2006323504.tif 000012
【図１１】
2006323504.tif 000013
【図１２】
2006323504.tif 000014
【図１３】
2006323504.tif 000015
【図１４】
2006323504.tif 000016
【図１５】
2006323504.tif 000017
【図１６】
2006323504.tif 000018
【図１７】
2006323504.tif 000019
【図１８】
2006323504.tif 000020
【図１９】
2006323504.tif 000021
【図２０】
2006323504.tif 000022
【図２１】
2006323504.tif 000023